(57)【要約】【課題】親水性による防汚機能を、当該機能を最も有効に活用できる部位に適用する。【解決手段】洗濯機は、水槽内に回転可能に設けられた回転槽において回転槽の外面に設けられた親水性能部と、回転槽の外面を洗浄するための洗浄行程と、を備える。【選択図】図３
2015047233.tif 000002
【特許請求の範囲】
【請求項１】
水槽内に回転可能に設けられた回転槽において前記回転槽の外面に設けられた親水性能部と、
前記回転槽の外面を洗浄するための洗浄行程と、
を備える洗濯機。
【請求項２】
前記洗浄行程は、前記水槽内に水が存する状態で前記回転槽を高速で回転させることで行われる請求項１に記載の洗濯機。
【請求項３】
前記洗浄行程は、前記水槽内に貯水した状態で行われる請求項１又は２に記載の洗濯機。
【請求項４】
前記水槽と前記回転槽との間に注水する注水手段をさらに備え、
前記洗浄行程は、前記注水手段により注水しながら行われる請求項１から３のいずれか一項に記載の洗濯機。
【請求項５】
前記洗浄行程は、最終脱水行程前に行われる請求項１から４のいずれか一項に記載の洗濯機。
【請求項６】
前記洗浄行程は、運転終了後に行われる請求項１から４のいずれか一項に記載の洗濯機。
【請求項７】
前記洗浄行程において用いられる水は、除菌性能を有する金属イオンが添加されたものである請求項１から６のいずれか一項に記載の洗濯機。
【請求項８】
前記親水性能部は、前記回転槽の外面に親水性材料をコーティングしたものである請求項１から７のいずれか一項に記載の洗濯機。
【請求項９】
前記回転槽の側部の外面に前記親水性能部を備える請求項１から８のいずれか一項に記載の洗濯機。
【請求項１０】
前記回転槽の側部の外面全体に前記親水性能部を備える請求項９に記載の洗濯機。
【請求項１１】
前記回転槽の側部の外面の一部に前記親水性能部を備える請求項９に記載の洗濯機。
【請求項１２】
前記回転槽の底部の外面に前記親水性能部を備える請求項１から１１の何れか一項に記載の洗濯機。
【請求項１３】
前記回転槽の底部の外面全体に前記親水性能部を備える請求項１２に記載の洗濯機。
【請求項１４】
前記回転槽の底部の外面の一部に前記親水性能部を備える請求項１２に記載の洗濯機。
【請求項１５】
前記回転槽に取り付けられるねじにも前記親水性能部を備える請求項１から１４の何れか一項に記載の洗濯機。
【請求項１６】
前記回転槽の内面にも前記親水性能部を備える請求項１から１５の何れか１項に記載の洗濯機。
【請求項１７】
前記回転槽には多数の孔が設けられており、これら孔の端面にも前記親水性能部を備える請求項１から１６の何れか一項に記載の洗濯機。
【請求項１８】
前記回転槽は金属製であり、
前記親水性能部は、前記回転槽の外面に前記親水性材料を焼き付けることによりコーティングしたものである請求項１から１７の何れか一項に記載の洗濯機。
【請求項１９】
前記親水性能部は、１０μｍ以下の厚さである請求項１から１８の何れか一項に記載の洗濯機。
【請求項２０】
前記親水性能部は、表面粗さが２μｍ以内である請求項１から１９の何れか一項に記載の洗濯機。
【請求項２１】
前記親水性能部は着色されている請求項１から２０の何れか一項に記載の洗濯機。
【請求項２２】
前記親水性能部は、ケイ素酸化物を有し、鉛筆硬度が５Ｈ以上となる性能を有する請求項１から２１の何れか一項に記載の洗濯機。
【請求項２３】
前記親水性能部は、水の接触角が、ガラスに対する水の接触角の下限値未満となる性能を有する請求項１から２２の何れか一項に記載の洗濯機。
【請求項２４】
前記回転槽は、水平な軸線または後方に向かって下降傾斜する軸線を中心に回転するドラムである請求項１から２３の何れか一項に記載の洗濯機。
【請求項２５】
前記ドラムの底部を補強する補強部材にも前記親水性能部を備える請求項２４に記載の洗濯機。
【請求項２６】
前記回転槽は、垂直な軸線を中心に回転するように構成されている請求項１から２３の何れか一項に記載の洗濯機。
【請求項２７】
前記回転槽の底部を補強する補強部材にも前記親水性能部を備える請求項２６に記載の洗濯機。
【発明の詳細な説明】
【技術分野】
【０００１】
本発明の実施形態は、洗濯機に関する。
【背景技術】
【０００２】
従来、洗濯機の水槽に種々の機能性皮膜を設けることが考えられている。例えば特許文献１には、乾燥時における消費電力の低減を図るべく、水槽の内面に断熱塗料の皮膜を備える技術が開示されている。また、この特許文献１には、撥水性である断熱塗料の皮膜に親水性を有する中空ビーズを含ませることにより、皮膜の表面に付着する水膜を広げて蒸発させ、これにより、乾燥時におけるより一層の消費電力の低減を図ることが開示されている。
【０００３】
ところで、近年では、親水性による防汚機能を発揮する塗料が開発されており、このような塗料によって洗濯機の水槽や回転槽を塗装すれば、その防汚機能により水槽や回転槽を清潔に保つことができる。
【０００４】
しかし、このような親水性による防汚機能は、親水性の皮膜と水とが接触することによって発揮されるため、その皮膜と水とを適切に接触させなければ、塗料が備える防汚機能を効果的に発揮させるこができず、その防汚機能を有効に活用することができない。
【先行技術文献】
【特許文献】
【０００５】
【特許文献１】特開２０１０−１７２４３６号公報
【発明の概要】
【発明が解決しようとする課題】
【０００６】
そこで、本実施形態は、親水性による防汚機能を効果的に発揮することができる洗濯機を提供する。
【課題を解決するための手段】
【０００７】
本実施形態の洗濯機は、水槽内に回転可能に設けられた回転槽において前記回転槽の外面に設けられた親水性能部と、前記回転槽の外面を洗浄するための洗浄行程を実行する洗浄手段と、を備える。
【図面の簡単な説明】
【０００８】
【図１】第１実施形態に係るドラム式洗濯機の構成を概略的に示す縦断断面図
【図２】第１実施形態に係る縦軸型洗濯機の構成を概略的に示す縦断側面図
【図３】第１実施形態に係る洗濯運転の制御内容を示すフローチャート
【図４】第１実施形態に係る洗浄行程の制御内容を示すフローチャート
【図５】第２実施形態に係る図１相当図
【図６】第２実施形態に係る図２相当図
【図７】第２実施形態に係る図４相当図
【図８】第３実施形態に係る図３相当図
【図９】第３実施形態に係る取り出し確認の制御内容を示すフローチャート
【図１０】第４実施形態に係る図１相当図
【図１１】第４実施形態に係る図２相当図
【図１２】第５実施形態に係る図１相当図
【図１３】第５実施形態に係る図２相当図
【図１４】変形実施形態に係る図１相当図（その１）
【図１５】変形実施形態に係る図１相当図（その２）
【図１６】変形実施形態に係る図２相当図
【図１７】変形実施形態に係るものであり、（ａ）は孔の端面に親水性能部を備えない構成の一例を示す孔周辺の拡大図、（ｂ）は孔の端面に親水性能部を備える構成の一例を示す孔周辺の拡大図
【発明を実施するための形態】
【０００９】
以下、洗濯機に係る複数の実施形態について図面を参照しながら説明する。なお、各実施形態で実質的に同一の要素には同一の符号を付し、説明を省略する。
【００１０】
（第１実施形態）
図１に示す洗濯機１００は、回転槽の回転中心軸が水平、若しくは若干傾斜したいわゆる横軸型のドラム式の洗濯機であり、その外郭を構成する外箱１０１は、合成樹脂製の基台１０２と、基台１０２に結合された箱本体１０３とから構成されている。図１では左側となる箱本体１０３の前面部には、そのほぼ中央部に洗濯物出入口１０４が設けられている。また、箱本体１０３の前面部には、洗濯物出入口１０４を開閉する扉１０５が設けられている。箱本体１０３の前面部の上部には、操作パネル１０６が設けられている。
【００１１】
操作パネル１０６の裏側には、洗濯機１００の動作全般を制御する制御装置１０７が設けられている。外箱１０１内には、底部である背面部側が閉塞された有底円筒状の水槽１０８が設けられている。水槽１０８は、その中心軸が、図１では右方となる後方に向かって下降する若干傾斜した軸線上に位置するようにしてサスペンション１０９によって弾性的に支持されている。
【００１２】
水槽１０８の背面部の外側には、モータ１１０が設けられている。モータ１１０は、例えば直流のブラシレスモータで構成されており、アウターロータ型であり、ステータ１１１およびロータ１１２を備えている。ステータ１１１は、水槽１０８の背面部の外側に固定されている。ロータ１１２の中心部には回転軸１１３が設けられている。回転軸１１３は、軸受ブラケット１１４に軸受１１５を介して支承されて、水槽１０８の内部に挿通されている。水槽１０８の内部には、底部である背面部側が閉塞された有底円筒状のドラムである回転槽１１６が設けられている。
【００１３】
回転槽１１６は、例えばステンレスなどからなる金属製である。回転槽１１６は、その背面部の中心部がモータ１１０の回転軸１１３の先端部に固定され、水槽１０８の軸線、つまり、後方に向かって下降傾斜した軸線を中心に回転可能に設けられている。この場合、モータ１１０は、回転槽１１６を回転させる駆動装置として機能する。回転槽１１６の底部、換言すれば背面部の外面には、回転槽１１６の背面部を補強するための補強部材１１７が設けられている。
【００１４】
補強部材１１７は、例えばアルミニウムのダイキャストなどからなる金属製である。回転槽１１６の胴部を構成する周壁部には、多数の孔１１８が全域にわたって形成されている。これら孔１１８は、貫通しており、通水および通気が可能である。また、回転槽１１６の内周部には、洗濯物掻き上げ用の複数の合成樹脂製のバッフル１１９が設けられている。なお、水槽１０８は、その中心軸が傾斜しない水平な軸線上に位置するように設けてもよく、この場合、回転槽１１６は、水平な軸線を中心に回転可能に設けられる。
【００１５】
回転槽１１６および水槽１０８は、何れも前面側が開口しており、開口部１２０および開口部１２１となっている。回転槽１１６の開口部１２０の周囲には、例えば塩水などの液体が封入された合成樹脂製のバランスリング１２２が設けられている。このバランスリング１２２は、例えばステンレスなどからなる金属製の図示しないねじによって回転槽１１６の外面側から固定されている。水槽１０８の開口部１２１は、例えばゴムなどの弾性材料からなる環状のベローズ１２３を介して洗濯物出入口１０４に連結されている。これにより、洗濯物出入口１０４は、ベローズ１２３、水槽１０８の開口部１２１、および、回転槽１１６の開口部１２０を介して、回転槽１１６の内部に連なっている。
【００１６】
水槽１０８の背面側の底部には排水口１２４が設けられている。この排水口１２４には、機内排水ホース１２５の一端部が接続されている。機内排水ホース１２５の他端部は、外箱１０１の基台１０２の前部に設けられたフィルタケース１２６に接続されている。フィルタケース１２６の前端部にはキャップ１２７が着脱可能に装着されている。フィルタケース１２６の内部には、キャップ１２７に一体的に設けられた図示しないリントフィルタが収納されている。また、フィルタケース１２６の下部には排水弁１２８が接続されている。この排水弁１２８の出口部には排水パイプ１２９が接続されている。排水パイプ１２９の先端部は、外箱１０１の基台１０２から機外に導出され、図示しない機外排水ホースに接続される。
【００１７】
フィルタケース１２６の上部には、エアトラップ１３０が設けられている。このエアトラップ１３０と外箱１０１内の上部に配設された水位センサ１３１とは、エアチューブ１３２によって接続されている。水位センサ１３１は、水槽１０８内の水位を、機内排水ホース１２５、フィルタケース１２６、エアトラップ１３０およびエアチューブ１３２を介して検出して制御装置１０７に出力する。
【００１８】
外箱１０１内の上部には、給水弁１３３および給水ケース１３４が設けられている。給水弁１３３の入口部には、図示しない水道の蛇口から延びる機外給水ホースが接続される。また、給水弁１３３の出口部には、接続パイプ１３５の一端部が接続されている。接続パイプ１３５の他端部は、給水ケース１３４に接続されている。給水ケース１３４の内部には、図示しない洗剤類貯留部が設けられている。給水ケース１３４には、機内給水ホース１３６の一端部が接続されている。機内給水ホース１３６の他端部は、水槽１０８の上部に接続されている。水道から給水弁１３３を介して供給される水は、接続パイプ１３５、給水ケース１３４および機内給水ホース１３６を介して水槽１０８内に供給される。
【００１９】
図２に示す洗濯機２００は、回転槽の回転中心軸が垂直方向に延びるいわゆる縦軸型の洗濯機であり、その外郭を構成する外箱２０１の内部には、上面が開放した有底円筒状の水槽２０２が弾性吊持機構２０３によって弾性的に支持されている。この水槽２０２の内部には、上面が開放した有底円筒状の回転槽２０４が回転可能に設けられている。
【００２０】
回転槽２０４は、例えばステンレスなどからなる金属製の第１部材２０４ａにより胴部が構成され、合成樹脂製の第２部材２０４ｂにより底部が構成されている。回転槽２０４の底部を構成する第２部材２０４ｂの外側には、当該第２部材２０４ｂ、換言すれば回転槽２０４の底部を補強するための補強部材２０４ｃが設けられている。この補強部材２０４ｃは、例えばステンレス板などからなる金属製である。この回転槽２０４は、垂直な軸線を中心に回転するように構成されており、洗濯物を洗う洗い行程および洗濯物をすすぐすすぎ行程における洗濯槽、および、洗濯物を脱水する脱水行程における脱水槽として兼用される。
【００２１】
回転槽２０４は、その周壁部に多数の孔２０５を有している。これら孔２０５は、貫通しており、通水および通気が可能である。なお、図面では、これら孔２０５の一部のみを示している。回転槽２０４の上部には、例えば塩水などの液体が封入された合成樹脂製のバランスリング２０６が取り付けられている。このバランスリング２０６は、例えばステンレスなどからなる金属製のねじ２０６ａによって回転槽２０４の外面側から固定されている。回転槽２０４内の底部には、合成樹脂製の撹拌体２０７が回転可能に設けられている。
【００２２】
水槽２０２の下部には排水経路２０８が設けられている。この排水経路２０８には排水弁２０９が設けられており、この排水弁２０９が開放されることにより、水槽２０２内の水が機外に排出される。また、水槽２０２の底部には、水位検知用のエアトラップ２１０が設けられている。このエアトラップ２１０には、エアチューブ２１１を介して図示しない水位センサが接続されている。この水位センサは、この場合、圧力センサからなり、エアトラップ２１０内の圧力に基づいて水槽２０２内の水位を検知する。
【００２３】
水槽２０２の下部の中央部には駆動機構部２１３が設けられている。この駆動機構部２１３は、可変速駆動が可能なモータ２１３ａ、クラッチ機構、減速装置、ブレーキ装置などを備えている。洗い行程時またはすすぎ行程時においては、駆動機構部２１３は、モータの回転力を、減速装置によって減速するとともにクラッチ機構によって撹拌体２０７に伝達する。脱水行程時においては、駆動機構部２１３は、モータの回転力を、減速装置によって減速することなくクラッチ機構によって回転槽２０４および撹拌体２０７に高速で伝達する。
【００２４】
外箱２０１の上部には、トップカバー２１４が設けられている。このトップカバー２１４には、洗濯物出入口を開閉する例えば二つ折り式の蓋２１５が開閉可能に設けられている。なお、水槽２０２の上部には、図示しない槽カバーが開閉可能に取り付けられている。トップカバー２１４の前部には、操作パネル２１６が設けられている。操作パネル２１６の裏側には、洗濯機２００の動作全般を制御する制御装置２１７が設けられている。トップカバー２１４内の後部には、水道からの水を水槽２０２内に供給するための給水機構部２１８が設けられている。給水機構部２１８は、給水弁２１９を有している。給水弁２１９は、制御装置２１７によって開閉制御される。給水弁２１９が開かれると、水道などの外部の水源からの水は、機内給水ホース２２０を通って水槽２０２内へ供給される。
【００２５】
図１に示すように、上述の洗濯機１００は、少なくとも回転槽１１６の側部の外面に、親水性能部の一例である親水性能膜３００を備える。この場合、親水性能膜３００は、回転槽１１６側部の外面全体に形成されている。また、図２に示すように、上述の洗濯機２００は、少なくとも回転槽２０４の側部を構成する第１部材２０４ａの外面に、親水性能部の一例である親水性能膜３００を備える。この場合、親水性能膜３００は、回転槽２０４側部の外面全体に形成されている。次に、この親水性能膜３００について、さらに詳細に説明する。親水性能膜３００は、例えばシリカ系の無機塗料など親水性能を有する塗料（以下、「親水性材料」と称する）を回転槽１１６側部の外面あるいは回転槽２０４側部の外面に吹き付けてコーティングしたものである。
【００２６】
この場合、回転槽１１６および回転槽２０４は何れも金属製であるから、これら回転槽１１６の外面あるいは回転槽２０４の外面に親水性材料を吹き付け、これを焼き付けることによりコーティングすることができ、コーティングを強固にすることができる。なお、親水性材料の焼き付け温度は、一般的に有機物が分解する温度であると考えられている２５０℃よりも高い温度で設定することが好ましく、例えば３００℃、５００℃といった温度で設定するとよい。このような高温で親水性材料を焼き付けることにより、当該親水性材料に含まれる有機物を殆どあるいは完全に分解することができ、殆どあるいは完全に無機化された親水性能膜３００を形成することができる。
【００２７】
この種の材料をコーティングする際には、基材に材料を吹き付ける前に当該基材の表面を脱脂する脱脂処理を行うことが一般的である。本実施形態では、基材である回転槽１１６および回転槽２０４は何れもステンレス製であるから、親水性材料の吹き付け前に行う脱脂処理において、例えばＰＨ１４の強アルカリ性の脱脂剤を用いて脱脂を行うことができる。よって、基材である回転槽１１６の表面あるいは回転槽２０４の表面から殆どあるいは確実に油脂成分を除去した上で親水性材料を吹き付けることができ、回転槽１１６の表面あるいは回転槽２０４の表面に対して親水性材料が馴染みやすくなる。
【００２８】
本実施形態では、少なくとも以下の性能を有する親水性能膜３００を形成する親水性材料が適用される。即ち、本実施形態の親水性能膜３００は、水の接触角が、ガラスに対する水の接触角の下限値未満となる親水性能を有する。一般的に、ガラスに対する水の接触角の下限値は２０度と考えられている。従って、本実施形態では、水の接触角が２０度未満である例えば１３度となる親水性能膜３００を形成する親水性材料が適用されている。
【００２９】
本実施形態では、親水性能膜３００を形成する親水性材料としてケイ素酸化物を含む材料が適用されており、この親水性材料により形成される親水性能膜３００は、少なくとも鉛筆硬度が５Ｈ以上となる硬度特性を有する。即ち、本実施形態の親水性能膜３００には、いわゆるシロキサン骨格とアルカリ金属あるいはアルカリ土類金属とからなる強固な構造が形成されており、これにより、親水性能膜３００は、鉛筆硬度が５Ｈ以上という強固な構造を有している。
【００３０】
本実施形態の親水性能膜３００はシラノール基を有しており、その親水性能が極めて高いものとなっている。具体的には、親水性能膜３００は、当該親水性能膜３００に付着した一般的な油性インクを、水を接触させるだけで取り除くことが可能なほどの親水性能を有する。よって、親水性能膜３００に一般的な油性ペンのインクを付着させたとしても、その部分に水を接触させることにより、当該インクが水によって浮き上がるようにして剥離し、除去される。
【００３１】
本実施形態の親水性能膜３００は、１０μｍ以下の厚さであり、その膜厚が極めて薄いものとなっている。即ち、一般的に親水性能を高めたい場合には、親水性材料のコーティングを繰り返す必要があり、従って、得られる親水性能部の膜厚が厚くなってしまう傾向がある。本実施形態では、１回の親水性材料のコーティングおよび焼き付けにより、極めて高い親水性能を有する親水性能膜３００が形成される親水性材料が適用されている。従って、親水性材料のコーティングを繰り返さなくとも、極めて高い親水性能を有する親水性能膜３００を形成することができ、これにより、親水性能膜３００の膜厚を１０μｍ以下という薄さに抑えることができる。なお、図面では、便宜上、親水性能膜３００の膜厚を実際よりも厚くして示している。
【００３２】
本実施形態の親水性能膜３００は、いわゆる表面粗さが２μｍ以内である。本実施形態では、このように極めて平滑な表面を有する親水性能膜３００が形成される親水性材料が適用されている。また、本実施形態で適用される親水性材料は、吹き付け前の状態では乳白色であるが、吹き付けた後には乳白色が殆ど認識できないほど透明となり、焼き付けた後には殆どあるいは完全に透明となる。
【００３３】
本実施形態において、洗濯機１００、２００は、主に回転槽１１６、２０４の外面を洗浄するための洗浄行程を備えている。次に、図３及び図４も参照して、洗浄行程について説明する。
洗濯機１００、２００は、「洗い」、「すすぎ」、「脱水」、及び「洗浄」の各行程を選択的に組み合わせて自動で行う洗濯運転が実行可能である。洗濯運転では、洗い行程、すすぎ行程、脱水行程、及び洗浄行程が、それぞれ１回以上行われる。この場合、複数回行われるすすぎ行程のうち、最後に行われるすすぎ行程を最終すすぎ行程と称する。また、複数回行われる脱水行程のうち、最後に行われる脱水行程を最終脱水行程と称する。
【００３４】
図３に示すように、制御装置１０７、２１７は、電源投入後、操作パネル１０６、２１６が操作されて洗濯運転が開始されると（スタート）、ステップＳ１１において洗い行程を実行する。洗い行程では、洗濯物の重量を検出し、その重量に基づいて給水及び洗いが実行される。制御装置１０７、２１７は、モータ１１０、２１３ａを駆動させて、その負荷量に応じて変化するモータ１１０、２１３ａの電流や回転速度等を検出することで、回転槽１１６、２０４内の洗濯物の重量を検出する。
【００３５】
制御装置１０７、２１７は、洗い行程において、洗濯物の重量を検出すると、排水弁１２８、２０９を閉じるとともに、給水弁１３３、２１９を開いて、水槽１０８、２０２内へ給水を行う。このとき、水槽１０８、２０２へ供給される水には、給水経路の途中に設けられた洗剤類貯留部に収容された洗剤が溶け込む。その後、制御装置１０７、２１７は、回転槽１１６、２０４を回転させて、洗濯物の洗いを行う。
【００３６】
ステップＳ１１において洗い行程が終わると、制御装置１０７、２１７は、ステップＳ１２へ移行し、排水弁１２８、２０９を開いて、水槽１０８、２０２に貯留された洗濯水を排水する。その後、制御装置１０７、２１７は、ステップＳ１３へ移行し、第１脱水行程を実行する。
【００３７】
第１脱水行程の際、洗濯機１００において、制御装置１０７は、回転槽１１６を一方向へ高速で回転させる。また、第１脱水行程の際、洗濯機２００において、制御装置２１７は、回転槽２０４と撹拌体２０７とを一体的に一方向へ高速で回転させる。これにより、回転槽１１６、２０４内の洗濯物は、遠心脱水される。
【００３８】
次に、制御装置１０７、２１７は、ステップＳ１４へ移行し、第１すすぎ行程を行う。制御装置１０７、２１７は、第１すすぎ行程を実行すると、排水弁１２８、２０９を閉じるとともに、給水弁１３３、２１９を開いて、水槽１０８、２０２内へ注水を行う。そして、制御装置１０７、２１７は、水槽１０８、２０２内の水が所定の水位に達すると、回転槽１１６、２０４を低速で回転させて、洗濯物のすすぎを行う。
【００３９】
制御装置１０７、２１７は、ステップＳ１４において第１すすぎ行程を実行した後、ステップＳ１５へ移行し、ステップＳ１２と同様に水槽１０８、２０２内のすすぎ水を排水する。その後、制御装置１０７、２１７は、ステップＳ１６において、ステップＳ１４と同様のすすぎ行程である最終すすぎ行程を実行し、ステップＳ１７において、ステップＳ１２、Ｓ１５と同様に排水を行う。
【００４０】
次に、制御装置１０７、２１７は、ステップＳ１８へ移行し、洗浄行程を行う。洗浄行程は、水槽１０８、２０２内に水が存する状態で回転槽１１６、２０４を高速で回転させることで行われる。これにより、回転槽１１６、２０４の側部の外面に設けられた親水性能膜３００に水が接触し、この親水性能膜３００の防汚機能が発揮される。その結果、回転槽１１６、２０４の親水性能膜３００部分に付着した汚れが洗い流される。この場合、「水槽１０８、２０２内に水が存する」とは、水槽１０８、２０２内に水を貯留する構成だけでなく、例えば水槽１０８、２０２に対する給水と排水とを同時に行ったり、給水した水を循環させたりする構成も含む。また、「高速」とは、洗い行程又はすすぎ行程における回転槽１１６、２０４の回転速度よりも高速であること意味する。
【００４１】
本実施形態の場合、洗浄行程は、水槽１０８、２０２に貯水した状態で回転槽１１６、２１７を高速で回転させることで行う。具体的には、制御装置１０７、２１７は、洗浄行程を実行すると、まず、図４に示すステップＳ２１において、排水弁１２８、２０９を閉じるとともに、給水弁１３３、２１９を開いて水槽１０８、２０２内に注水を開始する。次に、制御装置１０７、２１７は、ステップＳ２２へ移行し、モータ１１０、２１３ａを駆動させて回転槽１１６、２０４を高速で回転させる。その後、制御装置１０７、２１７は、水槽１０８、２０２内の貯水量が所定量に達するまで注水を続ける（ステップＳ２３でＮＯ）。
【００４２】
この場合、貯水量は、任意で設定することができるが、例えば洗濯機１００であれば、回転槽１１６の開口部１２０の下端部分が浸かる程度が望ましい。これによれば、回転槽１１６が一回転すれば、親水性能膜３００に満遍なく水を接触させることができる。また、洗濯機２００であれば、その貯水量は、回転槽２０４の上側の開口部つまりバランスリング２０６の近傍まで浸かる程度が望ましい。これによっても、親水性能膜３００に満遍なく水を接触させることができる。制御装置２１７は、水槽１０８、２０２内の貯水量が所定量に達したと判断すると（ステップＳ２３でＹＥＳ）、ステップＳ２４へ移行し、給水弁１３３、２１９を閉じて注水を停止する。
【００４３】
洗浄行程において回転槽１１６、２０４の洗浄に用いる水、即ち洗浄水は、除菌性能を有する金属イオン、例えば金イオン、白金イオン、銀イオン、銅イオンなどを含んだものが望ましい。一般に、金イオン、白金イオン、銀イオン、銅イオンなどは、抗菌作用を有していることが知られている。この場合、例えば銀イオン（Ａｇ＋）について見ると、洗浄水に含まれる銀イオン（Ａｇ＋）が回転槽１１６、２０４の表面に付着することで、回転槽１１６、２０４の表面に銀イオン（Ａｇ＋）の抗菌作用が付与される。
【００４４】
ここで、親水性能膜３００は水酸化物イオン（ＯＨ−）を有しているため、洗浄水に含まれる銀イオン（Ａｇ＋）は、親水性能膜３００の水酸化物イオン（ＯＨ−）と結合する。これにより、銀イオン（Ａｇ＋）は、長期間、親水性能膜３００の表面に滞在し、その結果、親水性能膜３００の表面に付与された銀イオン（Ａｇ＋）による抗菌作用が長期間維持される。洗浄水に対する金属イオンの添加は、例えば給水経路に、添加したい金属イオンの金属電極又は金属イオン付与剤を配置することで行われる。例えば、洗浄水に銀イオン（Ａｇ＋）を添加したい場合は、給水経路に、銀電極又は水に対して銀イオン（Ａｇ＋）を付与する銀イオン付与剤を配置する。
【００４５】
制御装置１０７、２１７は、洗浄行程を実行してから所定時間が経過するまで回転槽１１６、２１７の高速回転を維持し、回転槽１１６、２１７の洗浄を継続する（ステップＳ２５でＮＯ）。そして、制御装置１０７、２１７は、洗浄行程の実行を開始してから所定時間が経過すると（ステップＳ２５でＹＥＳ）、十分に洗浄が行われた判断して、ステップＳ２６へ移行する。制御装置１０７、２１７は、ステップＳ２６においてモータ１１０、２１８ａを停止する。その後、制御装置１０７、２１７は、ステップＳ２７において、排水弁１２８、２０９を開き、水槽１０８、２０２内に残っている洗浄水を排水する。
【００４６】
制御装置１０７、２１７は、洗浄行程が終了すると（リターン）、図３に示しステップＳ１９へ移行し、ステップＳ１３と同様の脱水行程である最終脱水行程を行う。その後、制御装置１０７、２１７は、洗濯運転を終了する（終了）。
【００４７】
この洗濯機１００、２００によれば、水槽１０８、２０２内に回転可能に設けられた回転槽１１６、２０４の側部の外面に、極めて高い親水性能を有する親水性能膜３００を備えている。この構成によれば、手が届かず清掃などのメンテナンスを容易に行うことができない回転槽１１６、２０４の側部の外面を親水性能膜３００による防汚機能によって清潔に保つことができ、洗濯機１００、２００において、親水性による防汚機能を最も有効に活用することができる。
【００４８】
また、洗濯機１００、２００によれば、回転する回転槽１１６、２０４の側部の外面に親水性能膜３００を備えているから、回転槽１１６、２０４の回転時においては、当該回転槽の表面から剥離した汚れが遠心力の作用も受けて除去されやすくなり、回転槽１１６、２０４の表面を一層清潔に維持することができる。
【００４９】
また、洗濯機１００、２００によれば、親水性能膜３００は、回転槽１１６、２０４の側部の外面全体に設けられている。よって、回転槽１１６、２０４の側部の外面全体を親水性能膜３００による防汚機能によって清潔に保つことができる。また、洗濯機１００、２００によれば、回転槽１１６、２０４が合成樹脂製ではなく金属製であるから、回転槽１１６、２０４の金属部分の外面に親水性材料を焼き付けによりコーティングすることができる。これにより、高度に無機化された強固で耐久性を有する親水性能膜３００を形成することができる。
【００５０】
また、洗濯機１００、２００によれば、親水性能膜３００は、水の接触角がガラスに対する水の接触角の下限値未満であり、また、シラノール基を有している。そのため、親水性能膜３００は、極めて高い親水性能を発揮する。これにより、親水性能膜３００の表面と当該親水性能膜３００に付着した汚れとの間に水が浸入しやすくなり、親水性能膜３００に付着した汚れを浮き上がらせるようにして除去することができる。
【００５１】
また、洗濯機１００、２００によれば、親水性能膜３００は、ケイ素酸化物を有し、鉛筆硬度が５Ｈ以上となる硬度特性を有している。よって、親水性能膜３００に傷が付いたり、親水性能膜３００が剥がれたりしてしまうことを防止することができる。また、洗濯機１００、２００によれば、親水性能膜３００は、１０μｍ以下の厚さであり、極めて薄い親水性能膜３００が実現されている。また、洗濯機１００、２００によれば、親水性能膜３００は、その表面粗さが２μｍ以内であり、極めて平滑な親水性能膜３００が実現されている。
【００５２】
さらに、洗濯機１００、２００は、回転槽１１６、２０４の外面を洗浄するための洗浄行程を備えている。これによれば、洗浄行程の実行によって、親水性能膜３００の親水性による防汚機能を効果的に発揮することができる。
【００５３】
また、洗浄行程は、水槽１０８、２０２内に洗浄水が存する状態で回転槽１１６、２０４を高速で回転させることで行われる。これによれば、回転槽１１６、２０４の親水性能膜３００と洗浄水とを効率よく接触させることができ、その結果、親水性能膜３００の防汚機能を効果的に発揮させることができる。
【００５４】
この場合、洗浄行程は、水槽１０８、２０２内に洗浄水を貯水した状態で回転槽１１６、２０４を高速で回転させることで行われる。これによれば、回転槽１１６、２０４の親水性能膜３００と洗浄水とをより効率よく接触させることができ、その結果、親水性能膜３００の防汚機能をより効果的に発揮させることができる。
【００５５】
ここで、洗い行程後、回転槽１１６、２０４の外面にある親水性能膜３００には、洗濯水に溶け込んだ洗剤が付着し残留することが考えられる。この場合、親水性能膜３００は、洗剤が付着した状態で長期間放置されると、その洗剤によって悪影響を受けるおそれがある。本実施形態では、洗い行程の後に洗浄行程が行われる。したがって、その洗浄行程によって、洗い行程の際に親水性能膜３００に付着した洗剤を積極的に洗い流すことができる。その結果、親水性能膜３００が洗剤の残留によって悪影響を受けることが防がれ、親水性能膜３００の防汚機能を維持することができる。
そして、洗浄行程は、最終脱水行程前に行われる。これによれば、洗浄行程によって洗浄水が含まれた洗濯物が、洗浄行程後の最終脱水行程によって脱水される。
なお、上記実施形態において、最終すすぎ行程と洗浄行程とを兼用してもよい。
【００５６】
また、洗濯機１００は、さらに、回転槽１１６に取り付けられる金属製のねじ、あるいは、回転槽１１６の内面にも親水性能膜３００を備える構成としてもよい。また、洗濯機２００は、さらに、回転槽２０４に取り付けられる金属製のねじ２０６ａ、あるいは、回転槽２０４の内面にも親水性能膜３００を備える構成としてもよい。即ち、本実施形態において親水性能膜３００を形成する部分は、回転槽１１６の側部の外面あるいは回転槽２０４の側部の外面に限られるものではない。なお、金属製のねじに親水性能膜３００を形成する場合には、ねじ全体に親水性能膜３００を形成する必要はなく、その外面となるねじ頭の表面に親水性能膜３００を形成すれば十分である。また、回転槽１１６あるいは回転槽２０４の内面に親水性能膜３００を形成する場合には、内面全体に親水性能膜３００を形成してもよいし、内面の一部に親水性能部３００を形成してもよい。
【００５７】
また、親水性能膜３００は着色されていてもよい。即ち、親水性能膜３００を形成する親水性材料として、基材への吹き付け後および焼き付け後において色が残る材料を適用してもよい。これにより、形成された親水性能膜３００にムラが生じていないか否かを目視などにて容易に確認することができ、例えば親水性能膜３００が均一に形成されていない回転槽を不良品として特定することができる。
また、洗浄行程では、水槽１０８、２０２の内部に溜める水の量を洗濯コースより増加させることもできる。
また、洗濯機１００、２００によれば、親水性能膜３００による防錆効果も期待することができる。
【００５８】
（第２実施形態）
次に、第２実施形態について、図５〜図７を参照して説明する。第２実施形態において、洗濯機１００、２００は、水槽１０８、２０２と回転槽１１６、２０４との間に注水するための注水手段を備えている。そして、洗浄行程は、注水手段により注水しながら行われる。
【００５９】
具体的には、洗濯機１００は、図５に示すように、注水手段として、副給水弁１３７及びノズル１３８を備えている。副給水弁１３７は、給水弁１３３と並列に設けられており、制御装置１０７によって開閉制御される。ノズル１３８は、副給水弁１３７の下流側に設けられている。ノズル１３８の先端部は、水槽１０８の内部に連通しており、水槽１０８の上部の前端部にあって後方へ向けて設けられている。副給水弁１３７が開かれると、水道など外部の水源からの水は、副給水弁１３７を介してノズル１３８から水槽１０８の内部へ注水され、水槽１０８と回転槽１１６との間、即ち回転槽１１６の外面に降り注ぐ。
【００６０】
洗濯機２００は、図６に示すように、注水手段として、副給水弁２２１及び注水ノズル２２２を備えている。副給水弁２２１は、給水弁２１９と並列に設けられており、制御装置２１７によって開閉制御される。ノズル２２２は、副給水弁２２１の下流側に設けられている。ノズル２２２の先端部は、水槽２０２の内部、この場合、水槽２０２の上部にあって水槽２０２と回転槽２０４との間に突出して設けられている。副給水弁２２１が開かれると、外部の水道からの水は、副給水弁２２１を介してノズル２２２から水槽２０２の内部へ注がれ、水槽２０２と回転槽２０４との間、即ち回転槽１１６の外面に降り注ぐ。
【００６１】
本実施形態の洗濯機１００、２００において、洗浄行程は、上記第１実施形態の洗浄行程の実行中に、副給水弁１３７、２２１を開いて、ノズル１３８、２２２から注水を行ってもよい。また、本実施形態の洗濯機１００、２００において、洗浄行程は、上記第１実施形態の図４に示す洗浄行程に変えて、図７に示す洗浄行程を行ってもよい。
【００６２】
即ち、制御装置１０７、２１７は、図３に示す洗濯運転において、ステップＳ１７の洗浄行程を実行すると、図７に示すステップＳ３１へ移行する。制御装置１０７、２１７は、ステップＳ３１において、排水弁１２８、２０９を閉じるとともに、副給水弁１３７、２２０を開いて、ノズル１３８、２２２からの注水を開始する。このとき、給水弁１３３、２１９は閉じている。このように、制御装置１０７、２１７は、ステップＳ２２へ移行し、ノズル１３８、２２２から注水をしながら、回転槽１１６、２０４を高速で回転させることで、回転槽１１６、２０４の外面を洗浄する。その後、上記第１実施形態と同様に、制御装置１０７、２１７は、ステップＳ２５〜ステップＳ２７を経て、洗浄行程を終了する（リターン）。
【００６３】
本実施形態による洗濯機１００、２００によれば、注水手段としての副給水弁１３７、２２１及びノズル１３８、２２２によって、洗浄行程において、回転槽１１６、２０４の外面に対して積極的に洗浄水を降りかけることができる。そのため、洗浄行程の実行によって、親水性能膜３００の親水性による防汚機能を効果的に発揮することができる。
【００６４】
なお、本実施形態においても、上記第１実施形態と同様に、洗浄行程において回転槽１１６、２０４の洗浄に用いる水、即ち洗浄水は、銀イオン（Ａｇ＋）を含んだものが望ましい。
また、本実施形態において、洗浄行程中は、排水弁１２８、２０９を開いておき、ノズル１３８、２２２から降り注いだ洗浄水を随時排出する構成でもよい。
また、本実施形態において、一度ノズル１３８、２２２から注水された洗浄水を循環させて、再度ノズル１３８、２２２から注水する構成でもよい。
【００６５】
（第３実施形態）
次に、第３実施形態について、図８及び図９を参照して説明する。第３実施形態において、洗浄行程は、洗濯運転の終了後に行われる。即ち、図８に示すように、制御装置１０７、２１７は、ステップＳ１１〜ステップＳ１７を行った後、ステップＳ１９において最終脱水行程を行う。これにより、洗濯運転が終了する。その後、制御装置１０７、２１７は、ステップＳ４０において洗濯物の取り出し確認を行う。
【００６６】
制御装置１０７、２１７は、取り出し確認において、洗濯運転の終了後、扉１０５又は蓋２１５の開閉があった場合に、使用者が回転槽１１６、２０４内から洗濯物を取り出したと判断する。制御装置１０７、２１７は、取り出し確認を実行すると、図９に示すステップＳ４１へ移行する。制御装置１０７、２１７は、ステップＳ４１において、扉１０５又は蓋２１５の開閉が有ったか否かを判断する。この扉１０５又は蓋２１５の開閉の判断は、扉１０５又は蓋２１５の開閉を検出する図示しない開閉センサによって行われる。制御装置１０７、２１７は、洗濯運転の終了後、扉１０５又は蓋２１５が開閉を検出すると（ステップＳ４１でＹＥＳ）、使用者が洗濯物を取り出したと判断して、ステップＳ４２へ移行する。
【００６７】
制御装置１０７、２１７は、ステップＳ４２において、操作パネル１０６、２１６の例えばスタートキーが操作されたか否かを判断する。制御装置１０７、２１７は、操作パネル１０６、２１６のスタートキーが操作されたことを検出すると（リターン）、図８に示すステップＳ１８へ移行し、上記各実施形態と同様に、自動で洗浄行程を行う。この場合の洗浄行程は、図３に示すものでもよいし、図７に示すものでもよい。また、この場合、洗濯機１００、２００は、注水手段を備えていてもよいし、備えていなくてもよい。制御装置１０７、２１７は、洗浄行程の後、全ての運転を終了する。なお、図９に示す取り出し確認は、ステップＳ４２を省略することもできる。
【００６８】
これによれば、洗浄行程は、洗濯運転の終了後に行われるため、洗浄行程によって洗濯運転の終了期間が延長されることがない。したがって、親水性能膜３００による防汚機能を効果的に発揮することができるとともに、使用者にとって利便性の高い洗濯機とすることができる。
【００６９】
（第４実施形態）
第４実施形態について、図１０及び図１１を参照して説明する。本実施形態は、回転槽１１６の側部の外面全体あるいは回転槽２０４の側部の外面全体に親水性能膜３００を設けるのではなく、回転槽１１６側部の外面の一部あるいは回転槽２０４側部の外面の一部に親水性能膜３００を設けたものである。
【００７０】
即ち、図１０あるいは図１１に示すように、洗濯機１００の回転槽１１６の側部あるいは洗濯機２００の回転槽２０４の側部において、一点鎖線で示す設定水位Ｌよりも低い部分には、洗濯運転時あるいはすすぎ運転時に水槽１０８内あるいは水槽２０２内に溜められる水が接触する。そのため、回転槽１１６側部の外面あるいは回転槽２０４側部の外面のうち設定水位Ｌよりも低い部分は、親水性能膜３００を設けなくとも比較的清潔に保つことができる。しかし、回転槽１１６側部の外面あるいは回転槽２０４側部の外面のうち設定水位Ｌよりも高い位置にある部分は、洗濯運転時あるいはすすぎ運転時に水槽１０８内あるいは水槽２０２内に溜められる水が接触し難く、従って、汚れが残り易い。
【００７１】
そのため、本実施形態では、図１０あるいは図１１に示すように、回転槽１１６側部の外面あるいは回転槽２０４側部の外面のうち設定水位Ｌよりも高い部分に親水性能膜３００が設けられている。これにより、回転槽１１６側部の外面あるいは回転槽２０４側部の外面のうち特に汚れが残り易い部分に集中して親水性能を付与することができ、その親水性能による防汚機能を有効に活用することができる。また、親水性材料の使用量の低減を図ることができる。なお、設定水位Ｌは変更可能であるため、想定される水位に応じて、親水性能膜３００を形成する領域を適宜調整するとよい。このとき、親水性能膜３００を形成する領域は、例えば洗濯機１００、２００において設定可能な最低水位を含めて、あるいは、当該水位が変動する可能性がある範囲まで含めて広めに設定するとよい。
【００７２】
この場合、洗濯機１００、２００は、第２実施形態における注水手段を備えていてもよい。これによれば、洗濯運転時あるいはすすぎ運転時に水槽１０８、２０２内に貯められる水が、親水性能膜３００に接触しなくても、洗浄行程において、その親水性能膜３００に積極的に洗浄水を降り掛けることができる。その結果、設定水位Ｌよりも高い部分にある親水性能膜３００が、その防汚効果をより効率良く発揮するこができる。
【００７３】
（第５実施形態）
第５実施形態について、図１２及び図１３を参照して説明する。本実施形態も、回転槽１１６の側部の外面全体あるいは回転槽２０４の側部の外面全体に親水性能膜３００を設けるのではなく、回転槽１１６側部の外面の一部あるいは回転槽２０４側部の外面の一部に親水性能膜３００を設けたものである。
【００７４】
即ち、上述したように、回転槽１１６側部の外面あるいは回転槽２０４側部の外面のうち設定水位Ｌよりも低い部分は、水が接触し易く比較的清潔に保たれる部分ではあるが、完全に汚れが残らないわけではない。特に、回転槽１１６側部の外面あるいは回転槽２０４側部の外面のうち設定水位Ｌよりも低い位置にある部分は、洗濯運転時あるいはすすぎ運転時に水が接触する部分である。そのため、この部分に汚れが残ると、その汚れが経時変化などにより変質し、変質した汚れが洗濯運転中あるいはすすぎ運転中に洗濯物に転移する可能性がある。
【００７５】
そのため、本実施形態では、図１２あるいは図１３に示すように、回転槽１１６側部の外面あるいは回転槽２０４側部の外面のうち設定水位Ｌよりも低い部分に親水性能膜３００が設けられている。これにより、回転槽１１６側部の外面あるいは回転槽２０４側部の外面のうち、比較的清潔に保たれるものの汚れが残る可能性がある部分に集中して親水性能を付与することができ、洗濯運転時あるいはすすぎ運転時において、変質した汚れが洗濯物に転移してしまうことを防止することができる。また、親水性材料の使用量の低減を図ることができる。なお、設定水位Ｌは変更可能であるため、想定される水位に応じて、親水性能膜３００を形成する領域を適宜調整するとよい。このとき、親水性能膜３００を形成する領域は、例えば洗濯機１００、２００において設定可能な最低水位を含めて、あるいは、当該水位が変動する可能性がある範囲まで含めて広めに設定するとよい。
【００７６】
（その他の実施形態）
本実施形態は、例えば以下のように拡張または変形することができる。
例えば図１４に示すように、洗濯機１００は、さらに、回転槽１１６の背面部を構成する底部の外面にも親水性能膜３００を備える構成としてもよい。この場合、回転槽１１６の背面部の外面全体に親水性能膜３００を設けてもよいし、回転槽１１６背面部の外面の一部に親水性能膜３００を設けてもよい。また、図示はしないが、洗濯機２００は、底部を構成する第２部材２０４ｂを例えばステンレスなどからなる金属で構成する場合には、その金属製の第２部材により形成される底部の外面にも親水性能膜３００を備える構成としてもよい。この場合、金属製の底部の外面全体に親水性能膜３００を設けてもよいし、金属製の底部の外面の一部に親水性能膜３００を設けてもよい。
【００７７】
また、例えば図１５に示すように、洗濯機１００は、さらに、回転槽１１６の背面部を構成する底部を補強する補強部材１１７にも親水性能膜３００を備える構成としてもよい。この場合、補強部材１１７の表面全体に親水性能膜３００を設けてもよいし、補強部材１１７の表面の一部に親水性能膜３００を設けてもよい。また、例えば図１６に示すように、洗濯機２００は、さらに、回転槽２０４の底部を補強する補強部材２０４ｃにも親水性能膜３００を備える構成としてもよい。この場合、補強部材２０４ｃの表面全体に親水性能膜３００を設けてもよいし、補強部材２０４ｃの表面の一部に親水性能膜３００を設けてもよい。また、補強部材２０４ｃの上面および下面の双方に親水性能膜３００を設けてもよいし、補強部材２０４ｃの上面および下面の何れか一方に親水性能膜３００を設けてもよい。
【００７８】
また、例えば図１７（ａ）に示すように、洗濯機１００、２００は、孔１１８、２０５の内周面を構成する端面１１８ａ、２０５ａに親水性能膜３００を備えない構成としてもよいし、例えば図１７（ｂ）に示すように、洗濯機１００、２００は、孔１１８、２０５の端面１１８ａ、２０５ａに親水性能膜３００を備える構成としてもよい。
【００７９】
また、上述の各実施形態および変形実施形態を適宜組み合わせて実施してもよい。
以上に説明した実施形態の洗濯機は、水槽内に回転可能に設けられた回転槽において回転槽の外面に設けられた親水性能部と、回転槽の外面を洗浄するための洗浄行程と、を備える。これによれば、洗浄行程の実行によって、親水性能部の親水性による防汚機能を効果的に発揮することができる。その結果、洗濯機において、手が届かず清掃などのメンテナンスを容易に行うことができない部分である回転槽の外面を清潔に保つことができ、親水性による防汚機能を有効に活用することができる。
【００８０】
なお、上述の各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００８１】
図面中、１００、２００は洗濯機、１０８、２０２は水槽、１１６はドラム（回転槽）、１１７、２０４ｃは補強部材、２０４は回転槽、１１８、２０５は孔、１３７、２２１は副給水弁（注水手段）、１３８、２２２はノズル（注水手段）、２０６ａはねじ、３００は親水性能膜（親水性能部）を示す。
【図１】
2015047233.tif 000003
【図２】
2015047233.tif 000004
【図３】
2015047233.tif 000005
【図４】
2015047233.tif 000006
【図５】
2015047233.tif 000007
【図６】
2015047233.tif 000008
【図７】
2015047233.tif 000009
【図８】
2015047233.tif 000010
【図９】
2015047233.tif 000011
【図１０】
2015047233.tif 000012
【図１１】
2015047233.tif 000013
【図１２】
2015047233.tif 000014
【図１３】
2015047233.tif 000015
【図１４】
2015047233.tif 000016
【図１５】
2015047233.tif 000017
【図１６】
2015047233.tif 000018
【図１７】
2015047233.tif 000019